(57)【要約】【課題】ミュージックプレーヤを小型化しつつも、曲ジャンプの操作を容易にする。【解決手段】ミュージックプレーヤは、再生順序が指定された複数の楽曲データを格納する記憶装置と、指定された楽曲データを記憶装置から抽出して再生する曲再生手段３１と、タッチスクリーンとを備える。また、タッチスクリーンがタッチされた座標を検出するタッチ検出手段３２と、楽曲データの再生中にタッチ検出手段３２が検出するタッチ座標を監視し、タッチした状態でタッチスクリーン上がなぞられるジェスチャーを検出すると、記憶装置を参照して現在再生中の楽曲データよりも再生順序が前又は後の楽曲データにジャンプするジャンプ命令を曲再生手段３１に発行する曲ジャンプ手段３３と、を備える。【選択図】図３
2008181367.tif 000002
【特許請求の範囲】
【請求項１】
再生順序が指定された複数の楽曲データを格納する記憶装置と、指定された楽曲データを前記記憶装置から抽出して再生する曲再生手段と、タッチスクリーンとを備えるミュージックプレーヤにおいて、
前記タッチスクリーンがタッチされた座標を検出するタッチ検出手段と、
楽曲データの再生中に前記タッチ検出手段が検出するタッチ座標を監視し、タッチした状態で前記タッチスクリーン上がなぞられるジェスチャーを検出すると、前記記憶装置を参照して現在再生中の楽曲データよりも再生順序が前又は後の楽曲データにジャンプするジャンプ命令を前記曲再生手段に発行する曲ジャンプ手段と、
を備えることを特徴とするミュージックプレーヤ。
【請求項２】
前記曲ジャンプ手段は、検出したジェスチャーの始点座標から見て、対応する終点座標が基準方向から所定の角度範囲である場合に、前記ジャンプ命令を発行する、請求項１に記載のミュージックプレーヤ。
【請求項３】
前記角度範囲が、基準方向から４５°内の範囲である、請求項２に記載のミュージックプレーヤ。
【請求項４】
前記曲ジャンプ手段は、検出したジェスチャーの始点座標から見て、対応する終点座標が、所定の距離よりも離れている場合に、前記ジャンプ命令を発行する、請求項１〜３の何れか一に記載のミュージックプレーヤ。
【請求項５】
前記曲ジャンプ手段は、検出したジェスチャーの始点座標から見て、対応する終点座標が、基準方向から所定の角度範囲である場合には、現在再生中の楽曲データよりも再生順序が後の楽曲データにジャンプし、基準方向と反対方向から所定の角度範囲である場合には、現在再生中の楽曲データよりも再生順序が前の楽曲データにジャンプするジャンプ命令を発行する、請求項１〜４の何れか一に記載のミュージックプレーヤ。
【請求項６】
前記曲ジャンプ手段は、前記タッチスクリーン内に設定した所定のエリア内で前記ジェスチャーを検出する、請求項１〜５の何れか一に記載のミュージックプレーヤ。
【請求項７】
前記所定のエリアが、イコライザ、アニメーション、曲名、音量、又は、再生時間を表示する表示エリアの全て又は一部として設定される、請求項６に記載のミュージックプレーヤ。
【請求項８】
前記所定のエリアが、再生、停止、一時停止、先送り、巻戻し、又は、リピートの操作を受け付ける操作エリアの外に設定される、請求項６又は７に記載のミュージックプレーヤ。
【請求項９】
前記曲ジャンプ手段は、最初のジェスチャーを検出した後、所定時間内に１又は複数の別のジェスチャーを検出した際には、検出したジェスチャーの回数に応じた曲数だけ、現在再生中の楽曲データよりも再生順序が前又は後の楽曲データにジャンプするジャンプ命令を発行する、請求項１〜８の何れか一に記載のミュージックプレーヤ。
【請求項１０】
前記曲ジャンプ手段は、最初のジェスチャーを検出した後、所定時間内に前記タッチスクリーンに対するタッチの回数をカウントし、該タッチの回数に応じた曲数だけ、現在再生中の楽曲データよりも再生順序が前又は後の楽曲データにジャンプするジャンプ命令を発行する、請求項１〜８の何れか一に記載のミュージックプレーヤ。
【発明の詳細な説明】
【技術分野】
【０００１】
本発明は、ミュージックプレーヤに関し、更に詳しくは、携帯式のミュージックプレーヤに関する。
【背景技術】
【０００２】
ミュージックプレーヤでは、その筐体やタッチスクリーンの上に、前の楽曲（曲）又は後の曲へのジャンプ（曲ジャンプ）を受け付けるジャンプボタンが設けられている。筐体上にジャンプボタンを備えるミュージックプレーヤについては、例えば特許文献１に記載されている。
【特許文献１】特表２００６−５２４８７７号公報（図１）
【発明の開示】
【発明が解決しようとする課題】
【０００３】
ところで、近年、携帯式のミュージックプレーヤは益々小型化しており、ジャンプボタンが占有可能な面積が制限されている。このため、ジャンプボタンが小面積化して、その操作が行いにくくなって来ている。携帯式のミュージックプレーヤの小型化に際して、その操作性を維持するためには、曲ジャンプの操作を容易に行えるように構成することが必要である。
【０００４】
本発明は、上記に鑑み、携帯式のミュージックプレーヤとして好適なミュージックプレーヤであって、ミュージックプレーヤを小型化しつつも、曲ジャンプの操作を容易に行えるミュージックプレーヤを提供することを目的とする。
【課題を解決するための手段】
【０００５】
上記目的を達成するために、本発明のミュージックプレーヤは、
再生順序が指定された複数の楽曲データを格納する記憶装置と、指定された楽曲データを前記記憶装置から抽出して再生する曲再生手段と、タッチスクリーンとを備えるミュージックプレーヤにおいて、
前記タッチスクリーンがタッチされた座標を検出するタッチ検出手段と、
楽曲データの再生中に前記タッチ検出手段が検出するタッチ座標を監視し、タッチした状態で前記タッチスクリーン上がなぞられるジェスチャーを検出すると、前記記憶装置を参照して現在再生中の楽曲データよりも再生順序が前又は後の楽曲データにジャンプするジャンプ命令を前記曲再生手段に発行する曲ジャンプ手段と、
を備えることを特徴とする。
【発明の効果】
【０００６】
本発明によれば、タッチスクリーンに対するジェスチャーによって、曲ジャンプを行う構成を採用することによって、曲ジャンプの操作を受け付ける面積を広く出来る。従って、ミュージックプレーヤを小型化しつつも、曲ジャンプの操作を容易に行うことが出来る。本発明で、「ジェスチャー」とは、タッチスクリーン上を指でなぞることを言う。
【０００７】
本発明の好適な態様では、前記曲ジャンプ手段は、検出したジェスチャーの始点座標から見て、対応する終点座標が基準方向から所定の角度範囲である場合に、前記ジャンプ命令を発行する。曲ジャンプ手段が、曲ジャンプのためのジェスチャーと他の操作とを誤って認識することを抑制できる。この場合、前記角度範囲は、例えば基準方向から４５°内の範囲としてもよい。
【０００８】
本発明の好適な態様では、前記曲ジャンプ手段は、検出したジェスチャーの始点座標から見て、対応する終点座標が、所定の距離よりも離れている場合に、前記ジャンプ命令を発行する。曲ジャンプ手段が、曲ジャンプのためのジェスチャーと他の操作とを誤って認識することを抑制できる。
【０００９】
本発明の好適な態様では、前記曲ジャンプ手段は、検出したジェスチャーの始点座標から見て、対応する終点座標が、基準方向から所定の角度範囲である場合には、現在再生中の楽曲データよりも再生順序が後の楽曲データにジャンプし、基準方向と反対方向から所定の角度範囲である場合には、現在再生中の楽曲データよりも再生順序が前の楽曲データにジャンプするジャンプ命令を発行する。曲ジャンプに際して、従来のようにジャンプボタン表面の方向表示を確認する必要がないので、その操作を簡素化できる。
【００１０】
本発明の好適な態様では、前記曲ジャンプ手段は、前記タッチスクリーン内に設定した所定のエリア内で前記ジェスチャーを検出してもよい。曲ジャンプ手段が、曲ジャンプのためのジェスチャーと他の操作とを誤って認識することを抑制できる。この場合、好ましくは、前記所定のエリアが、イコライザ、アニメーション、曲名、音量、又は、再生時間を表示する表示エリアの全て又は一部として設定される。また、好ましくは、前記所定のエリアが、再生、停止、一時停止、先送り、巻戻し、又は、リピートの操作を受け付ける操作エリアの外に設定される。
【００１１】
本発明の好適な態様では、前記曲ジャンプ手段は、最初のジェスチャーを検出した後、所定時間内に１又は複数の別のジェスチャーを検出した際には、検出したジェスチャーの回数に応じた曲数だけ、現在再生中の楽曲データよりも再生順序が前又は後の楽曲データにジャンプするジャンプ命令を発行する。或いは、これに代えて、前記曲ジャンプ手段は、最初のジェスチャーを検出した後、所定時間内に前記タッチスクリーンに対するタッチの回数をカウントし、該タッチの回数に応じた曲数だけ、現在再生中の楽曲データよりも再生順序が前又は後の楽曲データにジャンプするジャンプ命令を発行する。複数の曲数の曲ジャンプを容易に行えるので、ミュージックプレーヤの操作性を更に向上させることが出来る。
【発明を実施するための最良の形態】
【００１２】
以下に、添付図面を参照し、本発明の実施形態を更に詳しく説明する。図１は、本発明の一実施形態に係るミュージックプレーヤの構成を示すブロック図である。ミュージックプレーヤ１０は、中央演算装置及び記憶装置を備える情報処理装置として構成され、所定のプログラムによって動作する。
【００１３】
ミュージックプレーヤ１０は、情報の表示及びユーザからの入力を受け付けるタッチスクリーン１１と、所定のプログラムに従ってミュージックプレーヤ内の各部を制御する制御部１２と、楽曲データ等を記憶する記憶部１３と、デジタル形式の楽曲データをＤ／Ａ変換してアナログ形式の音響信号を生成するＤ／Ａ変換部１４と、Ｄ／Ａ変換部１４によって生成された音響信号を、ヘッドホンやスピーカー等の外部の音響機器へ出力する音響出力部１５とを有する。
【００１４】
図２に、記憶部１３に格納された各種データの概略図を示す。記憶部１３は、ミュージックプレーヤ内の各部を制御するためのプログラム２１と、タッチスクリーン１１内の各エリアを規定するエリア規定情報２２と、アニメーションの画像データであるアニメーションデータ２３と、楽曲データの再生順序を示すプレイリスト２４と、１又は複数の楽曲データ２５とを格納している。
【００１５】
図３に、制御部１２の各種機能を示す。制御部１２は、指定された楽曲データを記憶部１３から抽出して再生する曲再生手段３１と、タッチスクリーン１１に対するタッチを検出するタッチ検出手段３２と、ジェスチャーを連続した一連のタッチとして検出して、曲ジャンプの指令を行う、ジェスチャーによる曲ジャンプ手段（以下、単に曲ジャンプ手段と呼ぶ）３３とを有する。
【００１６】
曲ジャンプ手段３３は、タッチ検出手段３２が検出するタッチ座標を監視し、ジェスチャーを所定の判定条件に基づいて検出する。また、ジェスチャーを検出すると、記憶部１３のプレイリストを参照し、現在再生中の楽曲データよりも再生順序が前又は後の楽曲データにジャンプするジャンプ命令を曲再生手段３１に発行する。曲ジャンプ手段３３は、例えば、左方向にジェスチャーされた場合には再生順序が前の楽曲データを、右方向にジェスチャーされた場合には再生順序が後の楽曲データをそれぞれジャンプ先に指定する。
【００１７】
図４は、図１におけるタッチスクリーン１１の構成を示す平面図である。タッチスクリーン１１は、曲再生に関する各種の情報を表示すると共にタッチやジェスチャーを受け付ける表示エリア４１と、各種機能のボタンを表示すると共にボタンに対するタッチのみを受け付ける操作エリア４２とを有する。表示エリア４１は、曲名エリア４３、音量エリア４４、アニメーションエリア４５、及び、再生時間エリア４６を有している。操作エリア４２は、主操作エリア４７、第１ソフトキーエリア４８、及び、第２ソフトキーエリア４９を有している。
【００１８】
図５は、図４のタッチスクリーン１１の一表示形態を示す平面図である。曲名エリア４３は再生中の曲名を表示する。また、エリア内でタッチされると、制御部１２は、図６（ａ）に示すように、プレイリストを展開して表示する。プレイリストの展開表示に際しては、再生中の曲名を強調して表示する。展開表示したプレイリスト上で特定の曲名がタッチされると、制御部１２は、タッチされた曲名に対応する楽曲データにジャンプするジャンプ命令を曲再生手段３１に発行する。曲再生手段３１は、制御部１２からのジャンプ命令を受け、指定された楽曲データを記憶部１３から読み出して再生を開始する。
【００１９】
音量エリア４４は、再生音量を表示する。音量エリア４４上で特定の再生音量の箇所がタッチされると、制御部１２は、検出した値に再生音量を変更する。アニメーションエリア４５は、縦イコライザ（スペクトラム・アナライザ）を含む種々のアニメーションを表示する。また、エリア内でタッチされると、制御部１２は、図６（ｂ）に示すように、アニメーションの名称のリストを展開して表示する。展開表示したリスト上で特定のアニメーションの名称がタッチされると、制御部１２は、その名称に対応するアニメーションデータを記憶部１３から読み出し、切り替えて表示する。
【００２０】
再生時間エリア４６は、曲の再生時間や残り時間を表示する。主操作エリア４７は、曲の一時停止、停止、先送り、巻戻し、及び、リピート再生のボタンを表示する。主操作エリア４７上の各ボタンがタッチされると、制御部１２は、各ボタンに対応した機能を実行する。
【００２１】
第１ソフトキーエリア４８及び第２ソフトキーエリア４９には、ミュージックプレーヤ１０の動作状況に対応し、制御部１２によって各種の役割が割り当てられる。同図の例では、第１ソフトキーエリア４８には、タッチを受け付けて、図５に表示した再生画面を閉じてオプションメニュー画面を開く役割が割り当てられ、第２ソフトキーエリア４９には、タッチを受け付けて、オプションメニュー画面を閉じて再生画面を表示させる役割が割り当てられている。
【００２２】
なお、再生中に操作エリア４２がタッチされる頻度は高く、操作エリア４２でジェスチャーを受け付けるものとすると、ジェスチャーがタッチと誤って認識される可能性が高い。従って、このエリアではジェスチャーを受け付けない。一方、曲名エリア４３で曲名リストを展開表示させるタッチやアニメーションエリア４５で名称リストを展開表示させるタッチは、再生中に行われる頻度が低く、ジェスチャーと誤って認識される可能性が少ない。従って、これらのエリアではジェスチャーを受け付ける。
【００２３】
図７は、曲ジャンプ手段３３の動作手順を示すフローチャートである。曲ジャンプ手段３３は、曲再生手段３１による曲の再生開始によって起動し、ジェスチャーの始点Ｓ１の有無を判定する（ステップＳ１１）。ステップＳ１１で、始点Ｓ１を検出できなければ、そのまま監視を続ける。
【００２４】
ステップＳ１１で、始点Ｓ１が有ると判定した場合には、タッチスクリーン１１の向きを基準として、ジェスチャーの始点Ｓ１の座標を検出する。次いで、ジェスチャーの終点Ｅ１を判定し、その座標を検出する。引き続き、始点Ｓ１から見て終点Ｅ１が所定の角度範囲内に存在するか否かを判定する（ステップＳ１２）。例えば、図８に示すように、タッチスクリーン１１の横方向をＸ方向、縦方向をＹ方向とし、始点Ｓ１を原点として、終点Ｅ１がＸ方向に対して±４５°の角度範囲内に存在するか否かを判定する。
【００２５】
ステップＳ１２で、終点Ｅ１が所定の角度範囲内に存在しないと判定した場合には、始点Ｓ１及び終点Ｅ１の座標データを消去し（ステップＳ１３）、ステップＳ１１へ戻る。同図の例では、終点Ｅ１は所定の角度範囲内に存在し、終点Ｅ１’は所定の角度範囲内に存在しない。
【００２６】
ステップＳ１２で、終点Ｅ１がＸ軸方向に対して所定の角度範囲内に存在すると判定した場合には、終点Ｅ１が始点Ｓ１から所定距離以上で離間しているか否かを判定する（ステップＳ１４）。例えば、図８に境界５１を示すように、始点Ｓ１のＸ座標と終点Ｅ１のＸ座標との差分の絶対値が、所定値以上であるか否かを判定する。
【００２７】
ステップＳ１４で、終点Ｅ１が始点Ｓ１から所定距離以上で離間していないと判定した場合には、始点Ｓ１及び終点Ｅ１の座標データを消去し（ステップＳ１５）、ステップＳ１１へ戻る。終点Ｅ１が始点Ｓ１から所定距離以上で離間していると判断した場合には、記憶部１３を参照して現在再生中の楽曲データよりも再生順序が前又は後の楽曲データにジャンプするジャンプ命令を曲再生手段３１に発行する（ステップＳ１６）。図８の例では、終点Ｅ１は、境界５１よりも右側にあり、終点Ｅ１が始点Ｓ１から所定距離以上で離間している。
【００２８】
曲ジャンプ手段３３は、右方向にジェスチャーされた場合には再生順序が後の楽曲データを、左方向にジェスチャーされた場合には再生順序が前の楽曲データを、それぞれジャンプ先に指定する。曲再生手段３１は、曲ジャンプ手段３３によるジャンプ命令を受け、対応する楽曲データを記憶部１３から読み出した後、再生を開始する。ステップＳ１６が終了したら、曲ジャンプ手段３３は、始点Ｓ１及び終点Ｅ１の座標データを消去し（ステップＳ１７）、ステップＳ１１から再び同様の手順を行う。曲ジャンプ手段３３は、曲再生の終了によって終了する。
【００２９】
本実施形態によれば、表示エリア４１に対するジェスチャーによって、再生中の曲ジャンプを行う構成を採用することによって、曲ジャンプの操作を受け付ける面積を広く出来る。従って、ミュージックプレーヤ１０を小型化しつつも、曲ジャンプの操作を容易に行うことが出来る。また、曲ジャンプに際して、従来のようにジャンプボタン表面の方向表示を確認する必要がないので、その操作を簡素化できる。
【００３０】
図７において、曲ジャンプ手段３３は、ステップＳ１２、Ｓ１４の判定を行った上でジャンプ命令を発行するので、ジェスチャーと他の操作とを誤って認識することを防止できる。
【００３１】
なお、ステップＳ１２、Ｓ１４は、互いに入れ替えてもよい。また、ミュージックプレーヤ１０では、音量エリア４４内での上下方向へのジェスチャーを検出して、音量を増減するものとしてもよい。この場合、ジェスチャーの方向及びＹ方向の距離に応じて音量を増減してもよい。曲ジャンプの際のジェスチャーは左右方向であるため、互いに誤って認識することがない。
【００３２】
図９は、実施形態の第１変形例に係る曲ジャンプ手段３３の動作手順を示すフローチャートである。本変形例で曲ジャンプ手段３３は、所定時間内でのジェスチャーの回数に応じてジャンプ先の楽曲データの指定を行う。
【００３３】
ステップＳ１１に後続し、曲ジャンプ手段３３は、所定時間内に始点Ｓｎ及び終点Ｅｎの全てを検出する（ステップＳ３１）。引き続き、検出した各始点Ｓｎに対して各終点Ｅｎが、図７におけるステップＳ１２、Ｓ１４の条件をそれぞれ満たすか否かを判定し、双方の条件を満たす終点Ｅｎの数をカウントする（ステップＳ３２）。
【００３４】
ステップＳ３２に後続し、曲ジャンプ手段３３は、記憶部１３のプレイリストを参照し、カウント数に応じた曲数だけ、現在再生中の楽曲データよりも再生順序が前又は後の楽曲データにジャンプするジャンプ命令を曲再生手段３１に発行する（ステップＳ１６）。曲ジャンプ手段３３は、カウント数を消去した後（ステップＳ３３）、各始点Ｓｎ及び各終点Ｅｎの座標データを消去する（ステップＳ１７）。更に、ステップＳ１１から再び同様の手順を行う。
【００３５】
図１０に示した例では、曲ジャンプ手段３３は、始点Ｓ１及び終点Ｅ１以外に１組の始点Ｓ２及び終点Ｅ２を検出し、双方の終点Ｅｎが、共にステップＳ１２、Ｓ１４の双方の条件を満たしている。従って、カウント数は２となり、２曲分の曲ジャンプを行う。
【００３６】
本変形例によれば、複数の曲数の曲ジャンプを容易に行えるので、ミュージックプレーヤ１０の操作性を更に向上させることが出来る。なお、ステップＳ１７、Ｓ３３は、互いに入れ替えてもよい。ステップＳ３２において、所定組以上の始点Ｓｎ及び終点Ｅｎは無視してもよく、また、始点Ｓｎから見た終点Ｅｎの向きが反対の組同士は互いに相殺してもよい。
【００３７】
図１１は、実施形態の第２変形例に係る曲ジャンプ手段３３の動作手順を示すフローチャートである。本変形例で曲ジャンプ手段３３は、ジェスチャーの後にタッチスクリーン１１上でのタッチを受け付け、タッチ数に応じてジャンプ先の楽曲データの指定を行う。
【００３８】
図７のステップＳ１４に後続し、曲ジャンプ手段３３は、所定時間内にタッチスクリーン１１上に対するタッチ数をカウントする（ステップＳ４１）。タッチスクリーン１１上でのタッチの受付けは、例えば表示エリア４１の全てで行い、この時間内には表示エリア４１における他のタッチ機能は停止する。
【００３９】
引き続き、曲ジャンプ手段３３は、記憶部１３のプレイリストを参照し、タッチ数に応じた曲数だけ、現在再生中の楽曲データよりも再生順序が前又は後の楽曲データにジャンプするジャンプ命令を曲再生手段３１に発行する（ステップＳ１６）。ジャンプ先の楽曲データの指定に際しては、例えばタッチ数に１を加えた曲数だけ前又は後の楽曲データを指定し、タッチが無い場合を１曲分とする。ステップＳ１６に後続し、タッチ数を消去した後（ステップＳ４２）、ステップＳ１７に進む。なお、ステップＳ１７、Ｓ４２は、互いに入れ替えてもよい。
【００４０】
以上、本発明をその好適な実施形態に基づいて説明したが、本発明のミュージックプレーヤは、上記実施形態の構成にのみ限定されるものではなく、上記実施形態の構成から種々の修正及び変更を施したものも、本発明の範囲に含まれる。例えば、上記実施形態では、楽曲データを記憶する記憶部を備えるミュージックプレーヤについて示したが、本発明のミュージックプレーヤは、ＣＤプレーヤやＭＤプレーヤ、カセットプレーヤといった、種々のミュージックプレーヤに適用できる。
【図面の簡単な説明】
【００４１】
【図１】本発明の一実施形態に係るミュージックプレーヤの構成を示すブロック図である。
【図２】図１の記憶部の構成を示すブロック図である。
【図３】図１の制御部の各種機能を示すブロック図である。
【図４】図１のタッチスクリーンの構成を示す平面図である。
【図５】図４のタッチスクリーンの一表示形態を示す平面図である。
【図６】図６（ａ）は、プレイリストを展開して表示した状態を示す平面図であり、図６（ｂ）は、アニメーションのリストを展開して表示した状態を示す平面図である。
【図７】曲ジャンプ手段の動作手順を示すフローチャートである。
【図８】ジェスチャーを模式的に示す平面図である。
【図９】実施形態の第１変形例に係る曲ジャンプ手段の動作手順を示すフローチャートである。
【図１０】第１変形例におけるジェスチャーを模式的に示す平面図である。
【図１１】実施形態の第２変形例に係る曲ジャンプ手段の動作手順を示すフローチャートである。
【符号の説明】
【００４２】
１０：ミュージックプレーヤ
１１：タッチスクリーン
１２：制御部
１３：記憶部
１４：Ｄ／Ａ変換部
１５：音響出力部
２１：プログラム
２２：エリア規定情報
２３：アニメーションデータ
２４：プレイリスト
２５：楽曲データ
３１：曲再生手段
３２：タッチ検出手段
３３：曲ジャンプ手段
４１：表示エリア
４２：操作エリア
４３：曲名エリア
４４：音量エリア
４５：アニメーションエリア
４６：再生時間エリア
４７：主操作エリア
４８：第１ソフトキーエリア
４９：第２ソフトキーエリア
５１：境界
【図１】
2008181367.tif 000003
【図２】
2008181367.tif 000004
【図３】
2008181367.tif 000005
【図４】
2008181367.tif 000006
【図５】
2008181367.tif 000007
【図６】
2008181367.tif 000008
【図７】
2008181367.tif 000009
【図８】
2008181367.tif 000010
【図９】
2008181367.tif 000011
【図１０】
2008181367.tif 000012
【図１１】
2008181367.tif 000013